(57)【要約】【課題】脱着シートのボックス形状を安定して維持することができるベビーカーを提供する。【解決手段】ベビーカー１０は、手押し杆１５と、一対の前脚１２と、一対の後脚１４とを有するベビーカー本体１０ａと、ベビーカー本体１０ａに設置されたベースシート５２と、ベースシート５２上に設けられた脱着シート３０ａとを備えている。脱着シート３０ａは座部３０と、側部５４と、背部３２とを有している。脱着シート３０ａの側部５４内に、側部５４が外方へ倒れることを防止する引張ひも５５が内蔵されている。【選択図】  図４
2004216947.tif 000002
【特許請求の範囲】
【請求項１】
手押し杆と、一対の後脚と、一対の前脚とを有するベビーカー本体と、
ベビーカー本体に設置され、ベース座部およびベース背部を含むベースシートと、
ベースシート上に配置され、座部と、座部の両側に立上がる側部と、座部の背側の背部とを含む脱着シートとを備え、
脱着シートの側部内に、側部の立上り状態を保つひもを固着したことを特徴とするベビーカー。
【請求項２】
側部内のひもは、前方から後方に向って上昇するよう配置されていることを特徴とする請求項１記載のベビーカー。
【請求項３】
側部内のひもは、前方から後方に向って降下するよう配置されていることを特徴とする請求項１記載のベビーカー。
【請求項４】
側部内のひもは、その両端部が側部内に固着されていることを特徴とする請求項１記載のベビーカー。
【請求項５】
手押し杆と、一対の後脚と、一対の前脚とを有するベビーカー本体と、
ベビーカー本体に設置され、ベース座部およびベース背部を含むベースシートと、を備え、
ベースシートはベース座部の両側に立上がるベース側部を有し、ベースシートのベース側部内に、ベース側部の立上り状態を保つひもを固着したことを特徴とするベビーカー。
【発明の詳細な説明】
【０００１】
【発明の目的】
本発明はベビーカー本体と、ベビーカー本体上に設置されたベースシートおよび脱着シートとを有するベビーカーに関する。
【０００２】
【従来の技術】
従来よりベビーカー本体と、このベビーカー本体上に設置されたベースシートと、ベースシート上に設けられた脱着シートとを有するベビーカーが知られている。
【０００３】
このうち、ベースシートはベース座部と、ベース背部とを有し、ベースシート上に配置される脱着シートは座部と、側部と、背部と、を有している。この場合、脱着シートの座部はベース座部により支持され、脱着シートの背部はベース背部により支持される。
【０００４】
【発明が解決しようとする課題】
上述のようにベビーカー本体上にベースシートと脱着シートが配置されるが、このうち脱着シートは、座部と側部と背部とが一体に形成されるとともに、側部が座部に対して立ち上がり、全体としてボックス状に構成されている。しかしながら、脱着シートは全体として柔軟材からなっているため、ベビーカーを折り畳み状態から展開した場合、あるいは乗せられる幼児が触わった場合に、側部外方へ倒れてしまい脱着シートのボックス形状を確実に構成できないことがある。
【０００５】
本発明はこのような点を考慮してなされたものであり、脱着シートのボックス形状を安定して保つことができるベビーカーを提供することを目的とする。
【０００６】
【課題を解決するための手段】
本発明は、手押し杆と、一対の後脚と、一対の前脚とを有するベビーカー本体と、ベビーカー本体に設置され、ベース座部およびベース背部を含むベースシートと、ベースシート上に配置され、座部と、座部の両側に立上がる側部と、座部の背側の背部とを含む脱着シートとを備え、脱着シートの側部内に、側部の立上り状態を保つひもを固着したことを特徴とするベビーカーである。
【０００７】
本発明は、側部内のひもは、前方から後方に向って上昇するよう配置されていることを特徴とするベビーカーである。
【０００８】
本発明は、側部内のひもは、前方から後方に向って降下するよう配置されていることを特徴とするベビーカーである。
【０００９】
本発明は、側部内のひもは、その両端部が側部内に固着されていることを特徴とするベビーカーである。
【００１０】
本発明は、手押し杆と、一対の後脚と、一対の前脚とを有するベビーカー本体と、ベビーカー本体に設置され、ベース座部およびベース背部を含むベースシートと、を備え、ベースシートはベース座部の両側に立上がるベース側部を有し、ベースシートのベース側部内に、ベース側部の立上り状態を保つひもを固着したことを特徴とするベビーカーである。
【００１１】
【発明の実施の形態】
以下、図面を参照して本発明の実施の形態について説明する。
【００１２】
図１乃至図４は本発明によるベビーカーの一実施の形態を示す図である。
【００１３】
図１に示すようにベビーカー１０は、双輪式の前輪１１を有する左右一対の前脚１２と、双輪式の後輪１３を有する左右一対の後脚１４と、ほぼ逆Ｕ字状に屈曲された手押し杆１５と、左右一対のアームレスト１６とを備えている。
【００１４】
手押し杆１５は左右一対のパイプ１７を有し、左右のパイプ１７の下端近傍には、それぞれ上記アームレスト１６の一端が枢着されており、そのアームレスト１６の他端部に前脚１２の頂端部が枢着されている。
【００１５】
また、左右の後脚１４の頂端部はアームレスト１６の中間部に枢着されており、後脚１４の中間部にはく字状に屈曲されたブラケット１８の一端が枢着されている。そして、そのブラケット１８に前記手押し杆１５を構成するパイプ１７の先端がそれぞれ枢着されている。ベビーカー１０の展開状態において、上記ブラケット１８の他端に上記パイプ１７の下端部に摺動可能に枢着されたロック部材１９が係合し、その展開状態を維持するようにしてある。
【００１６】
一方、左右の前脚１２はフットレスト２０が設けられた前側連結バー２１によって連結されており、左右の後脚１４は後側連結バー２２により連結されている。また一方の前脚１２と一方の後脚１４との間および他方の前脚１２を他方の後脚１４との間に連結バー（図示せず）が設けられている。
【００１７】
なお、上記構成部材、すなわち双輪式の前輪１１を有する左右一対の前脚１２と、双輪式の後輪１３を有する左右一対の後脚１４と、手押し杆１５と、一対のアームレスト１６とによりベビーカー本体１０ａが構成されている。この場合、一対の後脚１４の双輪式の後輪１３には、ストッパ１３ａが取付けられている。
【００１８】
また図３および図４に示すように、ベビーカー本体１０ａには、ベース座部５２ａとベース背部５２ｂとを一体に有するベースシート５２が取付けられており、さらにベースシート５２上には、座部３０と、側部５４と、背部３２とを一体に有する脱着シート３０ａが設置されている。このうち、側部５４は座部３０の両側にそれぞれ立上がるよう設けられ、背部３２は座部３０の背側に設けられている。
【００１９】
さらに、一対のアームレスト１６の前端側には、ガイドレール３１が取付けられており、また、前側連結バー２１にも一対のヒンジ２１ａが設けられている。なお、ガイドレール３１は薄板状の金属板を軟質合成樹脂で覆うことにより構成されている。さらに後側連結バー２２も一対のヒンジ２２ａを有している。また手押し杆１５は、その上部に操作装置２８を有し、この操作装置２８の両端にはヒンジ１５ａが形成されている。
【００２０】
さらに、座部３０の挿通口３０ｂから腹ベルト３６が延び、この腹ベルト３６はベース座部５２ａに取付けられている。腹ベルト３６はシートベルト３７とバックル３８により接続されている。
【００２１】
また、アームレスト１６の手押し杆１５側には、幌３４を支持するフレーム３５が揺動自在に取付けられている。また座部３０の下方には、バスケットＢが取付けられている。
【００２２】
次に座部３０と側部５４と背部３２とを一体に有する脱着シート３０ａと、ベース座部５２ａとベース背部５２ｂとを一体に有するベースシート５２について、図３および図４により更に詳述する。
【００２３】
座部３０と側部５４と背部３２は、脱着シート３０ａにより一体に構成されており、この脱着シート３０ａはベビーカー本体１０ａに支持されたベースシート５２上に配置されている。すなわちベースシート５２はベース座部５２ａとベース背部５２ｂとを有し、このうちベース座部５２ａにより脱着シート３０ａの座部３０が支持され、ベース背部５２ｂにより脱着シート３０ａの背部３２が支持される。
【００２４】
またベースシート５２のベース座部５２ａは、前脚１２と後脚１４とを連結する連結バーに取付けられた座部支持機構により支持され、さらにベースシート５２のベース背部５２ｂは保持フラップ５３により手押し杆１５のパイプ１７に固定されている。
【００２５】
次に脱着シート３０ａとベースシート５２の材料について述べる。脱着シート３０ａは全体として、柔軟でかつ薄手の材料、例えばニット生地からなっている。またベースシート５２のうちベース座部５２ａは合成樹脂材、例えばポリエステル生地からなり、一方ベース背部５２ｂはポリエステル製のメッシュ構造体からなっている。ベース背部５２ｂのメッシュ構造体は３．５ｍｍ径の通気孔を有し、このため背部３２近傍における通気性を向上させることができる。
【００２６】
なお、ベースシート５２のうち、ベース座部５２ａおよびベース背部５２ｂの双方をメッシュ構造体により形成してもよい。
【００２７】
また図４に示すように、脱着シート３０ａの側部５４には、側部５４の立上り状態を保つ引張ひも５５が内蔵されている。脱着シート３０ａは座部３０と、背部３２と、側部５４とを有し、このうち側部５４は座部３０に対して立上がって形成され、このため脱着シート３０ａは全体としてボックス形状に構成されている。
【００２８】
ただし脱着シート３０ａは、上述のように柔軟材から形成されているため、ベビーカー１０を折り畳み状態から展開状態へ展開した場合、あるいはベビーカー１０に乗せられる幼児が触わったりした場合に、脱着シート３０ａの側部５４が外方へ倒れてしまうことがある。この場合は、脱着シート３０ａがボックス形状を維持することがむずかしく、幼児が側部５４近傍の部材を触わったりすることがあり危険であり、また脱着シート３０ａのボックス形状がくずれて外観上、問題が生じることも考えられる。
【００２９】
本発明によれば、上記のように側部５４内に、側部５４が外方へ倒れて展開することを防止する引張ひも５５が内蔵されているため、側部５４が外方へ倒れて展開することはない。
【００３０】
具体的には、図４に示すように、引張ひも５５は脱着シート３０ａの側部５４内において前方から後方に向って（背部３２側に向って）、上昇するように配置されている。また引張ひも５５の両端部５５ａ，５５ｂは、側部５４内に固着され、これによって引張ひも５５により側部５４内が引張られて側部５４の立上がり状態を維持している。すなわち、引張ひも５５のうち一方の端部５５ａは側部５４の内側に設けられ、他方の端部５５ｂは側部５４の外側に設けられ、これにより引張ひも５５の両端部５５ａ，５５ｂ間の側部５４の内部が引張られることが好ましい。このため側部５４が外方へ倒れようとしても側部５４の内部が引張ひも５５により引張られるため、側部５４の立上り状態を保つことができる。
【００３１】
なお、引張ひも５５を側部５４内において前方から後方に向って降下するよう配置してもよい。
【００３２】
しかして、図１に示すベビーカー１０において、パイプ１７の下端に設けられたロック部材１９をブラケット１８の上端に係合することによって、ベビーカー１０が使用可能な展開状態に保持される。
【００３３】
一方、手押し杆１５に設けられている操作装置２８を操作することによりロック部材１９とブラケット１８との係合を解除する。このときアームレスト１６がパイプ１７との枢着点を中心として上方に揺動可能となり、前脚１２と後脚１４とがほぼ平行状態に揺動され、携帯等に便利なように折り畳むことができる。
【００３４】
また、手押し杆１５、前側連結バー２１、後側連結バー２２およびガイドレール３１は、２つの同一垂直面内において各々ヒンジ１５ａ、２１ａ、２２ａ、３１ａにより折り畳み可能としてあり、また座部支持機構は屈曲可能なベルトにより形成されている。したがって、上述のように前脚１２と後脚１４を平行状態に折り畳んだ後、左右のパイプ１７を前方に移動させると、上記手押し杆１５、前側連結バー２１、後側連結バー２２、およびガイドレール３１の両端部が前方にコ字状に折り曲げられ、ベビーカー１０を図２に示すようにさらにコンパクトに折り畳むことができる。
【００３５】
以上述べたように、本実施の形態によれば、脱着シート３０ａの側部５４内に引張ひも５５を設けたので、この引張ひも５５によって側部５４の立上り状態を維持することができ、脱着シート３０ａのボックス形状を確実に維持することができる。
【００３６】
なお、上記実施の形態において、ベースシート５２上に脱着シート３０ａを設け、脱着シート３０ａの側部５４に引張りひも５５を設けた例を示したが、これに限らずベースシート５２上に脱着シート３０ａを配置することなく、ベースシート５２にベース座部５２ａの両側から立上がるベース側部（図示せず）を設けてもよい。
【００３７】
この場合、ベース側部内に、ベース側部の立上り状態を保つ引張りひもを内蔵することができる。
【００３８】
【発明の効果】
以上説明したように本発明によれば、脱着シートの側部内にひもを固着したことにより、脱着シートの側部の立上り状態を維持することができる。このため脱着シートのボックス形状を安定して維持することができるとともに、安全でかつ外観上優れたベビーカーを提供することができる。
【図面の簡単な説明】
【図１】本発明によるベビーカーの実施の形態を示す斜視図。
【図２】ベビーカーを折り畳んだ状態を示す図。
【図３】ベビーカー本体とベースシートとを示す斜視図。
【図４】脱着シートを示す斜視図。
【符号の説明】
１０  ベビーカー
１１  前輪
１２  前脚
１３  後輪
１４  後脚
１５  手押し杆
１６  アームレスト
３０  座部
３０ａ  脱着シート
３１  背部
５２  ベースシート
５２ａ  ベース座部
５２ｂ  ベース背部
５４  側部
５５  引張ひも
５５ａ，５５ｂ  引張ひもの端部
【図１】
2004216947.tif 000003
【図２】
2004216947.tif 000004
【図３】
2004216947.tif 000005
【図４】
2004216947.tif 000006